(57)【特許請求の範囲】
【請求項１】
電子チラシを構成する部分画像を端末装置に送信する送信部と、
前記送信部から送信する前記部分画像の送信先の前記端末装置における、電子チラシの閲覧の有無を推定する閲覧推定部と、
前記端末装置から当該端末装置において一の電子チラシを構成する全ての前記部分画像が表示された旨を示す表示通知を受信する受信部と
を備え、
前記受信部は、
前記端末装置から当該端末装置において前記部分画像が操作された旨を示す操作通知を受信し、
前記閲覧推定部は、
前記受信部が、前記端末装置から前記表示通知を受信した場合、当該電子チラシが前記端末装置において閲覧されたと推定し、前記受信部が、前記端末装置から前記操作通知を受信した場合、前記表示通知の受信前であっても、電子チラシが前記端末装置において閲覧されたと推定する
ことを特徴とするサーバ。
【請求項２】
電子チラシを構成する部分画像を端末装置に送信する送信部と、
前記送信部から送信する前記部分画像の送信先の前記端末装置における、電子チラシの閲覧の有無を推定する閲覧推定部と、
前記端末装置から当該端末装置において一画面分に表示される全ての前記部分画像が表示された旨を示す表示通知を受信する受信部と
を備え、
前記受信部は、
前記端末装置から当該端末装置において前記部分画像が操作された旨を示す操作通知を受信し、
前記閲覧推定部は、
前記受信部が、前記端末装置から前記表示通知を受信した場合、当該部分画像によって構成される電子チラシが前記端末装置において閲覧されたと推定し、前記受信部が、前記端末装置から前記操作通知を受信した場合、前記表示通知の受信前であっても、電子チラシが前記端末装置において閲覧されたと推定する
ことを特徴とするサーバ。
【請求項３】
電子チラシを構成する部分画像を端末装置に送信する送信部と、
前記送信部から送信する前記部分画像の送信先の前記端末装置における、電子チラシの閲覧の有無を推定する閲覧推定部と、
を備え、
前記閲覧推定部は、
前記送信部によって一の電子チラシを構成する全ての前記部分画像が前記端末装置に送信された場合、当該電子チラシが前記端末装置において閲覧されたと推定することを特徴とするサーバ。
【請求項４】
電子チラシを構成する部分画像を端末装置に送信する送信部と、
前記送信部から送信する前記部分画像の送信先の前記端末装置における、電子チラシの閲覧の有無を推定する閲覧推定部と、
を備え、
前記閲覧推定部は、
前記送信部によって送信される前記部分画像のうち前記端末装置の一画面分に表示するために必要な全ての前記部分画像が前記端末装置に送信された場合、前記部分画像によって構成される電子チラシが前記端末装置において閲覧されたと推定することを特徴とするサーバ。
【請求項５】
前記端末装置から当該端末装置において前記部分画像が操作された旨を示す操作通知を受信する受信部を更に備え、
前記閲覧推定部は、
前記受信部が、前記端末装置から前記操作通知を受信した場合、前記全ての部分画像の送信前であっても、電子チラシが前記端末装置において閲覧されたと推定することを特徴とする請求項３又は請求項４に記載のサーバ。
【請求項６】
電子チラシを構成する部分画像を端末装置に送信する送信部と、
前記送信部から送信する前記部分画像の送信先の前記端末装置における、電子チラシの閲覧の有無を推定する閲覧推定部と、
前記端末装置から当該端末装置において一の電子チラシを構成する全ての前記部分画像が表示された旨を示す表示通知を受信する受信部と、
前記閲覧推定部によって電子チラシが前記端末装置において閲覧されたと推定された場合、前記端末装置、又は、前記端末装置を使用するユーザにおける、前記電子チラシの閲覧実績をカウントする実績カウント部と
を備え、
前記閲覧推定部は、
前記受信部が、前記端末装置から前記表示通知を受信した場合、当該電子チラシが前記端末装置において閲覧されたと推定し、
前記実績カウント部は、前記端末装置を使用するユーザにおける、同一の電子チラシの２回目以降の閲覧を実績としてカウントする
ことを特徴とするサーバ。
【請求項７】
電子チラシを構成する部分画像を端末装置に送信する送信部と、
前記送信部から送信する前記部分画像の送信先の前記端末装置における、電子チラシの閲覧の有無を推定する閲覧推定部と、
前記端末装置から当該端末装置において一画面分に表示される全ての前記部分画像が表示された旨を示す表示通知を受信する受信部と、
前記閲覧推定部によって電子チラシが前記端末装置において閲覧されたと推定された場合、前記端末装置、又は、前記端末装置を使用するユーザにおける、前記電子チラシの閲覧実績をカウントする実績カウント部と
を備え、
前記閲覧推定部は、
前記受信部が、前記端末装置から前記表示通知を受信した場合、当該部分画像によって構成される電子チラシが前記端末装置において閲覧されたと推定し、
前記実績カウント部は、前記端末装置を使用するユーザにおける、同一の電子チラシの２回目以降の閲覧を実績としてカウントする
ことを特徴とするサーバ。
【請求項８】
電子チラシを構成する部分画像を端末装置に送信する送信部と、
前記送信部から送信する前記部分画像の送信先の前記端末装置における、電子チラシの閲覧の有無を推定する閲覧推定部と、
前記端末装置から当該端末装置において一の電子チラシを構成する全ての前記部分画像が表示された旨を示す表示通知を受信する受信部と、
前記閲覧推定部によって電子チラシが前記端末装置において閲覧されたと推定された場合、前記端末装置、又は、前記端末装置を使用するユーザにおける、前記電子チラシの閲覧実績をカウントする実績カウント部と
を備え、
前記閲覧推定部は、
前記受信部が、前記端末装置から前記表示通知を受信した場合、当該電子チラシが前記端末装置において閲覧されたと推定し、
前記実績カウント部は、前記端末装置を使用するユーザにおける、電子チラシの閲覧がなされた場合に、閲覧回数をカウントした後、所定時間が経過した後に、前記ユーザにおける同一の電子チラシの閲覧がなされた場合に２回目以上の閲覧であると判断してさらにカウントアップする
ことを特徴とするサーバ。
【請求項９】
電子チラシを構成する部分画像を端末装置に送信する送信部と、
前記送信部から送信する前記部分画像の送信先の前記端末装置における、電子チラシの閲覧の有無を推定する閲覧推定部と、
前記端末装置から当該端末装置において一画面分に表示される全ての前記部分画像が表示された旨を示す表示通知を受信する受信部と、
前記閲覧推定部によって電子チラシが前記端末装置において閲覧されたと推定された場合、前記端末装置、又は、前記端末装置を使用するユーザにおける、前記電子チラシの閲覧実績をカウントする実績カウント部と
を備え、
前記閲覧推定部は、
前記受信部が、前記端末装置から前記表示通知を受信した場合、当該部分画像によって構成される電子チラシが前記端末装置において閲覧されたと推定し、
前記実績カウント部は、前記端末装置を使用するユーザにおける、電子チラシの閲覧がなされた場合に、閲覧回数をカウントした後、所定時間が経過した後に、前記ユーザにおける同一の電子チラシの閲覧がなされた場合に２回目以上の閲覧であると判断してさらにカウントアップする
ことを特徴とするサーバ。
【請求項１０】
前記閲覧推定部によって電子チラシが前記端末装置において閲覧されたと推定された場合、前記端末装置、又は、前記端末装置を使用するユーザにおける、前記電子チラシの閲覧実績をカウントする実績カウント部を有し、
前記実績カウント部は、前記端末装置を使用するユーザにおける、同一の電子チラシの２回目以降の閲覧を実績としてカウントする
ことを特徴とする請求項１から請求項５のうちいずれか１項に記載のサーバ。
【請求項１１】
前記閲覧推定部によって電子チラシが前記端末装置において閲覧されたと推定された場合、前記端末装置、又は、前記端末装置を使用するユーザにおける、前記電子チラシの閲覧実績をカウントする実績カウント部を有し、
前記実績カウント部は、前記端末装置を使用するユーザにおける、電子チラシの閲覧がなされた場合に、閲覧回数をカウントした後、所定時間が経過した後に、前記ユーザにおける同一の電子チラシの閲覧がなされた場合に２回目以上の閲覧であると判断してさらにカウントアップする
ことを特徴とする請求項１から請求項５のうちいずれか１項に記載のサーバ。
【請求項１２】
電子チラシを送信するサーバにおける電子チラシの閲覧実績のカウント方法であって、
前記サーバの送信手段が、電子チラシを構成する部分画像を端末装置に送信し、
前記サーバの閲覧推定手段が、前記送信手段から送信する前記部分画像の送信先の前記端末装置における、電子チラシの閲覧の有無を推定し、
前記サーバの受信手段が、前記端末装置から当該端末装置において一の電子チラシを構成する全ての前記部分画像が表示された旨を示す表示通知を受信し、
前記受信手段は、
前記端末装置から当該端末装置において前記部分画像が操作された旨を示す操作通知を受信し、
前記閲覧推定手段は、前記受信手段が、前記端末装置から前記表示通知を受信した場合、当該電子チラシが前記端末装置において閲覧されたと推定し、前記受信手段が、前記端末装置から前記操作通知を受信した場合、前記表示通知の受信前であっても、電子チラシが前記端末装置において閲覧されたと推定することを特徴とする電子チラシの閲覧実績カウント方法。
【請求項１３】
電子チラシを送信するサーバにおける電子チラシの閲覧実績のカウント方法であって、
前記サーバの送信手段が、電子チラシを構成する部分画像を端末装置に送信し、
前記サーバの閲覧推定手段が、前記送信手段から送信する前記部分画像の送信先の前記端末装置における、電子チラシの閲覧の有無を推定し、
前記サーバの受信手段が、前記端末装置から当該端末装置において一画面分に表示される全ての前記部分画像が表示された旨を示す表示通知を受信し、
前記受信手段は、
前記端末装置から当該端末装置において前記部分画像が操作された旨を示す操作通知を受信し、
前記閲覧推定手段は、前記受信手段が、前記端末装置から前記表示通知を受信した場合、当該部分画像によって構成される電子チラシが前記端末装置において閲覧されたと推定し、前記受信手段が、前記端末装置から前記操作通知を受信した場合、前記表示通知の受信前であっても、電子チラシが前記端末装置において閲覧されたと推定することを特徴とする電子チラシの閲覧実績カウント方法。
【発明の詳細な説明】
【技術分野】
【０００１】
本発明はサーバ及び電子チラシの閲覧実績カウント方法に関する。
【背景技術】
【０００２】
現在、スーパーマーケット、家電製品の量販店等の広告の媒体として、新聞等と一緒に配達される折り込みチラシが利用されている。また、印刷物である折り込みチラシの他に、広告情報を電子化し、電子チラシとしてネットワークを介して配信するサービスも利用されている。例えば、広告とコンテンツとを含むウェブページを生成して端末装置に送信するシステムが開示されている（例えば、特許文献１参照）。
【先行技術文献】
【特許文献】
【０００３】
【特許文献１】特開２００８−０４６９８７号公報
【発明の概要】
【発明が解決しようとする課題】
【０００４】
しかしながら、端末装置に送信された電子チラシがユーザによって実際に閲覧されたか否かが明らかでないため、広告主にとって電子チラシの費用対効果の把握が難しいという問題がある。
【０００５】
本発明は、このような事情を考慮し、上記の問題を解決すべくなされたものであって、その目的は、ユーザによる電子チラシの閲覧の有無の判断を容易にするサーバ及び閲覧実績のカウント方法を提供することにある。
【課題を解決するための手段】
【０００６】
上記問題を解決するために、本発明の一態様であるサーバは、電子チラシを構成する部分画像を端末装置に送信する送信部と、前記送信部から送信する前記部分画像の送信先の前記端末装置における、電子チラシの閲覧の有無を推定する閲覧推定部と、前記端末装置から当該端末装置において一の電子チラシを構成する全ての前記部分画像が表示された旨を示す表示通知を受信する受信部とを備え、前記閲覧推定部は、前記受信部が、前記端末装置から前記表示通知を受信した場合、当該電子チラシが前記端末装置において閲覧されたと推定することを特徴とする。
【０００７】
また、本発明は、電子チラシを構成する部分画像を端末装置に送信する送信部と、前記送信部から送信する前記部分画像の送信先の前記端末装置における、電子チラシの閲覧の有無を推定する閲覧推定部と、前記端末装置から当該端末装置において一画面分に表示される全ての前記部分画像が表示された旨を示す表示通知を受信する受信部とを備え、前記閲覧推定部は、前記受信部が、前記端末装置から前記表示通知を受信した場合、当該部分画像によって構成される電子チラシが前記端末装置において閲覧されたと推定することを特徴とする。
【０００８】
また、本発明は、上述のサーバにおいて、前記受信部は、前記端末装置から当該端末装置において前記部分画像が操作された旨を示す操作通知を受信し、前記閲覧推定部は、前記受信部が、前記端末装置から前記操作通知を受信した場合、前記表示通知の受信前であっても、電子チラシが前記端末装置において閲覧されたと推定することを特徴とする。
【０００９】
また、本発明は、電子チラシを構成する部分画像を端末装置に送信する送信部と、前記送信部から送信する前記部分画像の送信先の前記端末装置における、電子チラシの閲覧の有無を推定する閲覧推定部と、を備え、前記閲覧推定部は、前記送信部によって一の電子チラシを構成する全ての前記部分画像が前記端末装置に送信された場合、当該電子チラシが前記端末装置において閲覧されたと推定することを特徴とする。
【００１０】
また、本発明は、電子チラシを構成する部分画像を端末装置に送信する送信部と、前記送信部から送信する前記部分画像の送信先の前記端末装置における、電子チラシの閲覧の有無を推定する閲覧推定部と、を備え、前記閲覧推定部は、前記送信部によって送信される前記部分画像のうち前記端末装置の一画面分に表示するために必要な全ての前記部分画像が前記端末装置に送信された場合、前記部分画像によって構成される電子チラシが前記端末装置において閲覧されたと推定することを特徴とする。
【００１１】
また、本発明は、前記端末装置から当該端末装置において前記部分画像が操作された旨を示す操作通知を受信する受信部を更に備え、前記閲覧推定部は、前記受信部が、前記端末装置から前記操作通知を受信した場合、前記全ての部分画像の送信前であっても、電子チラシが前記端末装置において閲覧されたと推定することを特徴とする。
【００１２】
また、本発明は、上述のサーバにおいて、前記閲覧推定部によって電子チラシが前記端末装置において閲覧されたと推定された場合、前記端末装置、又は、前記端末装置を使用するユーザにおける、前記電子チラシの閲覧実績をカウントする実績カウント部を有し、前記実績カウント部は、前記端末装置を使用するユーザにおける、同一の電子チラシの２回目以降の閲覧を実績としてカウントすることを特徴とする。
【００１３】
また、本発明は、上述のサーバにおいて、前記閲覧推定部によって電子チラシが前記端末装置において閲覧されたと推定された場合、前記端末装置、又は、前記端末装置を使用するユーザにおける、前記電子チラシの閲覧実績をカウントする実績カウント部を有し、前記実績カウント部は、前記端末装置を使用するユーザにおける、電子チラシの閲覧がなされた場合に、閲覧回数をカウントした後、所定時間が経過した後に、前記ユーザにおける同一の電子チラシの閲覧がなされた場合に２回目以上の閲覧であると判断してさらにカウントアップすることを特徴とする。
【００１４】
また、本発明は、電子チラシを送信するサーバにおける電子チラシの閲覧実績のカウント方法であって、前記サーバの送信手段が、電子チラシを構成する部分画像を端末装置に送信し、前記サーバの閲覧推定手段が、前記送信手段から送信する前記部分画像の送信先の前記端末装置における、電子チラシの閲覧の有無を推定し、前記サーバの受信手段が、前記端末装置から当該端末装置において一の電子チラシを構成する全ての前記部分画像が表示された旨を示す表示通知を受信し、前記閲覧推定手段は、前記受信手段が、前記端末装置から前記表示通知を受信した場合、当該電子チラシが前記端末装置において閲覧されたと推定することを特徴とする。
【００１５】
また、本発明は、電子チラシを送信するサーバにおける電子チラシの閲覧実績のカウント方法であって、前記サーバの送信手段が、電子チラシを構成する部分画像を端末装置に送信し、前記サーバの閲覧推定手段が、前記送信手段から送信する前記部分画像の送信先の前記端末装置における、電子チラシの閲覧の有無を推定し、前記サーバの受信手段が、前記端末装置から当該端末装置において一画面分に表示される全ての前記部分画像が表示された旨を示す表示通知を受信し、前記閲覧推定手段は、前記受信手段が、前記端末装置から前記表示通知を受信した場合、当該部分画像によって構成される電子チラシが前記端末装置において閲覧されたと推定することを特徴とする。
【発明の効果】
【００１６】
本発明に係る端末装置によれば、閲覧推定部によって、電子チラシの画像の閲覧の有無を推定することができる。
【図面の簡単な説明】
【００１７】
【図１】本発明の実施形態であるサーバ１の機能ブロック図の一例である。
【図２】サーバ１の記憶部１０に記憶される情報の一例である。
【図３】サーバ１の記憶部１０に記憶される情報の一例である。
【図４】端末装置の表示画面に表示される部分画像について説明するための説明図である。
【図５】端末装置の表示画面に表示される部分画像について説明するための説明図である。
【図６】サーバ１の動作の一例を示すフローチャートである。
【図７】サーバ１の動作の一例を示すフローチャートである。
【図８】サーバ１の記憶部１０に記憶される情報の一例である。
【発明を実施するための形態】
【００１８】
以下、本発明の第１の実施形態について図面を参照して詳細に説明する。図１は、本発明の実施形態であるサーバ１の機能ブロック図の一例である。サーバ１は、図１に示すように、記憶部１０、送受信部２０、閲覧推定部２０、及び、実績カウント部４０を備える。
【００１９】
記憶部１０は、種々の情報を記憶する。例えば、記憶部１０は、電子チラシを構成する部分画像（タイルとも称する）を記憶する。また、記憶部１０は、電子チラシの送信先の端末装置における電子チラシの閲覧実績に関する情報（閲覧実績情報とも称する）を記憶する。
【００２０】
送受信部２０は、ネットワーク（例えば、インターネット）を介して、種々の情報を送受信する。例えば、送受信部２０は、記憶部１０に記憶されている、電子チラシを構成する部分画像を端末装置に送信する。送受信部２０は、プッシュ型として電子チラシを送信してもよいし、プル型として端末装置からの要求に応じて電子チラシを送信してもよい。
なお、部分画像の送信先である端末装置の一例は、パーソナルコンピュータ（タブレットＰＣを含む）、携帯電話（スマートフォンを含む）である。また、電子チラシ（若しくは部分画像）に有効期限を設定してもよい。この有効期限は、電子チラシを閲覧できる期限を示す情報であり、例えば、電子チラシをサーバ１から端末装置に送信することができる期限、又は、サーバ１から受信した電子チラシを端末装置が表示可能な期限である。
【００２１】
閲覧推定部３０は、部分画像の送信先の端末装置における、電子チラシの閲覧の有無を推定する。閲覧推定部３０は、推定結果を実績カウント部４０に通知する。なお、閲覧推定部３０の詳細は、後述する。
【００２２】
実績カウント部４０は、閲覧推定部３０によって電子チラシが端末装置において閲覧されたと推定された場合、端末装置、又は、端末装置を使用するユーザにおける、電子チラシの閲覧実績をカウントする。即ち、実績カウント部４０は、電子チラシが閲覧されたと閲覧推定部３０が推定した場合、記憶部１０の閲覧実績情報をカウントアップする。
【００２３】
図２、図３は、サーバ１の記憶部１０に記憶される情報の一例である。サーバ１は、例えば、図２に示すように、電子チラシを識別する電子チラシ識別情報に対応付けて、部分画像、部分画像の送付先（送付先の端末装置を識別する端末識別情報）を記憶部１０に記憶する。
例えば、１行目（図２の矢印Ａの行）は、電子チラシ識別情報「Ｄ０１」に対応付けて、当該電子チラシを構成する部分画像ＰＤ０１１〜部分画像ＰＤ０１５６、送付先（端末識別情報「Ｔ０００１」、…）を記憶している。また、２行目（図２の矢印Ｂの行）は、電子チラシ識別情報「Ｄ０２」に対応付けて、当該電子チラシを構成する部分画像ＰＤ０２１〜部分画像ＰＤ０２３６、送付先（端末識別情報「Ｔ０００１」、…）を記憶している。
【００２４】
また、サーバ１は、例えば、図３に示すように、電子チラシ識別情報に対応付けて、電子チラシの閲覧実績情報（閲覧数）、端末装置（又はユーザ）毎の閲覧有無情報を記憶部１０に記憶する。
例えば、１行目（図３の矢印Ａの行）は、電子チラシ識別情報「Ｄ０１」に対応付けて、閲覧端末（者）数を示す閲覧実績情報「８００」、各端末装置（各ユーザ）における閲覧有無情報（例えば、端末識別情報「Ｔ０００１」の端末装置（又は、ユーザ識別情報「Ｕ０００１」のユーザ）において閲覧無であることを示す情報「０」、端末識別情報「Ｔ０２００」の端末装置（又は、ユーザ識別情報「Ｕ０３５０」のユーザ）において閲覧有であることを示す情報「１」）を記憶している。また、２行目（図３の矢印Ｂの行）は、電子チラシ識別情報「Ｄ０２」に対応付けて、閲覧実績情報「１２００」、各端末装置（各ユーザ）における閲覧有無情報（例えば、端末識別情報「Ｔ０００１」の端末装置（又は、ユーザ識別情報「Ｕ０００１」のユーザ）において閲覧有であることを示す情報「１」、端末識別情報「Ｔ０２００」の端末装置（又は、ユーザ識別情報「Ｕ０３５０」のユーザ）において閲覧有であることを示す情報「１」）を記憶している。
なお、サーバ１は、端末装置とユーザとの対応関係を記憶している。例えば、ユーザ識別情報と端末識別情報とが対応付けて記憶部１０に記憶されている。
【００２５】
ここで、例えば、実績カウント部４０は、電子チラシ識別情報「ＤＸＸ」の電子チラシが、端末識別情報「ＴＸＸＸＸ」の端末装置において閲覧されたと閲覧推定部３０によって推定された場合、電子チラシ識別情報「ＤＸＸ」の電子チラシに対応する、端末識別情報「ＴＸＸＸＸ」の端末装置の閲覧有無情報を閲覧有（１）に更新するとともに閲覧実績情報を１増加させる。
【００２６】
以下、閲覧推定部３０による電子チラシの閲覧有無の推定方法を詳細に説明する。図４及び図５は、端末装置の表示画面に表示される部分画像について説明するための説明図である。
【００２７】
（推定手法１）
閲覧推定部３０は、送受信部２０が、端末装置から当該端末装置において一の電子チラシを構成する全ての部分画像（又は、最後の部分画像）が表示された旨を示す通知（表示通知）を受信した場合、当該電子チラシが当該端末装置において閲覧されたと推定する。
例えば、端末装置は、図４に示すように、図２の電子チラシ識別情報「Ｄ０１」の電子チラシを構成する全ての部分画像ＰＤ０１１〜部分画像ＰＤ０１５６を表示したときに、表示通知をサーバ１に通知する。サーバ１の送受信部２０は、端末装置からの表示通知を受信したときに、電子チラシ識別情報「Ｄ０１」の電子チラシが当該端末装置において閲覧されたと推定する。
【００２８】
なお、端末装置は、部分画像ＰＤ０１１〜部分画像ＰＤ０１５６の全てを表示用の出力バッファに出力したときに（読み込んだとき）、部分画像ＰＤ０１１〜部分画像ＰＤ０１５６の全てを表示したと認識（見做）し、表示通知をサーバ１へ通知してもよい。また、端末装置は、自身のブラウザが部分画像ＰＤ０１１〜部分画像ＰＤ０１５６の全てをダウンロードしたときに、部分画像ＰＤ０１１〜部分画像ＰＤ０１５６の全てを表示したと認識（見做）し、表示通知をサーバ１へ通知してもよい。
【００２９】
なお、閲覧推定部３０は、送受信部２０が、端末装置から当該端末装置において一画面分に表示される全ての部分画像が表示された旨を示す表示通知を受信した場合、当該部分画像によって構成される電子チラシが当該端末装置において閲覧されたと推定するようにしてもよい。
例えば、端末装置は、図５に示すように、電子チラシ識別情報「Ｄ０１」の電子チラシを構成する部分画像ＰＤ０１１〜部分画像ＰＤ０１５６のうち、最初に送信された一画面分の部分画像（部分画像ＰＤ０１１〜部分画像ＰＤ０１４、部分画像ＰＤ０１９〜部分画像ＰＤ０１１２、…、部分画像ＰＤ０１４９〜部分画像ＰＤ０１５２）を全て表示したときに、表示通知をサーバ１に通知する。サーバ１の送受信部２０は、端末装置からの表示通知を受信したときに、電子チラシ識別情報「Ｄ０１」の電子チラシが当該端末装置において閲覧されたと推定するようにしてもよい。
【００３０】
つまり、図５に示すように、端末装置の表示画面が小さい場合には、端末装置は電子チラシ全体（電子チラシ全体を構成する全ての部分画像）を一度に表示できないため、送受信部２０は、最初に一画面分の部分画像（図５の場合、部分画像ＰＤ０１１〜部分画像ＰＤ０１５６のうちの部分画像ＰＤ０１１〜部分画像ＰＤ０１４、部分画像ＰＤ０１９〜部分画像ＰＤ０１１２、…、部分画像ＰＤ０１４９〜部分画像ＰＤ０１５２）を送信する場合がある。
このように、電子チラシを構成する全ての部分画像ではなく一部（一画面分）の部分画像を送信する際は、送受信部が、一画面分に表示される全ての部分画像が表示された旨を示す表示通知を端末装置から受信した場合に、閲覧推定部３０は、当該端末装置において電子チラシが閲覧されたと推定する。
【００３１】
なお、端末装置は、一画面分の部分画像をサーバ１に要求し、サーバ１は、一画面分の部分画像の要求があった場合に、一画面分の部分画像を端末装置に送信するようにしてもよい。
また、端末装置は、自身の表示画面のサイズ情報とともにチラシ画像をサーバ１に要求し、サーバ１は、サイズ情報に基づいて一画面分の部分画像を決定し、一画面分の部分画像を端末装置に送信するようにしてもよい。
また、サーバ１は、端末識別情報に対応付けて、各端末装置の表示画面のサイズ情報を記憶しておき、端末装置は、電子チラシ全体を構成する部分画像をサーバ１に要求し、サーバ１は、電子チラシ全体を構成する部分画像の要求があった場合に、サイズ情報に基づいて一画面分の部分画像を決定し、一画面分の部分画像を端末装置に送信するようにしてもよい。
【００３２】
なお、送受信部２０は、最初に送信する一画面分の部分画像以外の他の部分画像（図５の場合、部分画像ＰＤ０１５〜部分画像ＰＤ０１８、部分画像ＰＤ０１１３〜部分画像ＰＤ０１１６、…、部分画像ＰＤ０１５３〜部分画像ＰＤ０１５６）については、端末装置からの要求に応じて送信する。
【００３３】
また、サーバ１は、図５の如く表示画面が小さい端末装置に対し、一画面分の部分画像を超える、電子チラシ全体を構成する部分画像を一斉に送信してもよい。
例えば、図５の場合、サーバ１は、最初に表示する一画面分の部分画像（部分画像ＰＤ０１１〜部分画像ＰＤ０１４、部分画像ＰＤ０１９〜部分画像ＰＤ０１１２、…、部分画像ＰＤ０１４９〜部分画像ＰＤ０１５２）と、他の部分画像（部分画像ＰＤ０１５〜部分画像ＰＤ０１８、部分画像ＰＤ０１１３〜部分画像ＰＤ０１１６、…、部分画像ＰＤ０１５３〜部分画像ＰＤ０１５６）とを一斉に端末装置に送信してもよい。
サーバ１は、最初に表示する一画面分の部分画像と、他の部分画像とを一斉に端末装置に送信する際、端末装置の要求に応じて、又は、上述のサイズ情報に基づいて、最初に表示する一画面分の部分画像と他の部分画像とを区別して端末装置に送信してもよい。
【００３４】
また、端末装置は、最初に表示する一画面分の部分画像と他の部分画像とを一斉にサーバ１から受信した場合に、両者を区別せずに出力バッファに出力（図５の場合、部分画像ＰＤ０１１〜部分画像ＰＤ０１５６の全体を左上から右下の順に出力）してもよい。
また、端末装置は、最初に表示する一画面分の部分画像と他の部分画像とを一斉にサーバ１から受信した場合に、上述のサーバ１による区別に基づいて、又は、端末装置自身の判断に基づいて、最初に表示する一画面分の部分画像を優先して出力バッファに出力（図５の場合、部分画像ＰＤ０１１〜部分画像ＰＤ０１４、部分画像ＰＤ０１９〜部分画像ＰＤ０１１２、…、部分画像ＰＤ０１４９〜部分画像ＰＤ０１５２を左上から右下の順に出力した後、部分画像ＰＤ０１５〜部分画像ＰＤ０１８、部分画像ＰＤ０１１３〜部分画像ＰＤ０１１６、…、部分画像ＰＤ０１５３〜部分画像ＰＤ０１５６を左上から右下の順に出力）してもよい。
【００３５】
端末装置は、最初に表示する一画面分の部分画像と他の部分画像とを一斉にサーバ１から受信した際に、両者を区別せずに出力バッファに出力する場合であっても最初に表示する一画面分の部分画像を優先して出力バッファに出力する場合であっても、最初に表示する一画面分の部分画像を全て表示したときに、表示通知をサーバ１に通知する。
【００３６】
なお、端末装置は、通常、表示画面に最後に表示される特定の部分画像、例えば、表示画面の右下隅に表示されるべき部分画像（図４の場合、星印の部分画像ＰＤ０１５６、図５の場合、星印の部分画像ＰＤ０１５２）を表示したときに、表示通知をサーバ１に通知するようにしてもよい。
【００３７】
また、閲覧推定部３０は、送受信部２０が、端末装置から当該端末装置において部分画像が操作された旨を示す通知（操作通知）を受信した場合、当該端末装置から表示通知を受信する前であっても、操作された部分画像によって構成される電子チラシが当該端末装置において閲覧されたと推定するようにしてもよい。
例えば、図４に示す例において、部分画像ＰＤ０１１から順に部分画像を順次受信中の端末装置において、部分画像ＰＤ０１８が表示された時点で、既に表示されている部分画像ＰＤ０１１の拡大操作をユーザから受け付けた場合、端末装置は、サーバ１に操作通知を送信する。即ち、端末装置は、表示通知の送信する前に操作通知をサーバ１に送信する。サーバ１の送受信部２０は、端末装置からの操作通知を受信した場合、未だ表示通知を受信していなくても、操作通知を受信した時点で、部分画像ＰＤ０１１〜ＰＤ０１５６から構成される電子チラシ識別情報「Ｄ０１」の電子チラシが当該端末装置において閲覧されたと推定するようにしてもよい。
なお、端末装置における部分画像の操作とは、例えば、部分画像の表示サイズの拡大操作、部分画像の表示位置の移動操作などである。
【００３８】
なお、送受信部２０が端末装置から受信する表示通知、及び、操作通知は、広告の閲覧実績をカウントするために用いられる通知情報であって、ビーコンとも称する。なお、ビーコンは、閲覧に係る、電子チラシ識別情報及び端末識別情報（又は、ユーザ識別情報）を含む。
【００３９】
以上のように、推定手法１では、端末装置から、自身が送信した部分画像の全て、又は、一画面分の部分画像の全てを表示した旨の表示通知を受信したときに、電子チラシが閲覧されたと推定する。
【００４０】
（推定手法２）
閲覧推定部３０は、送受信部２０によって一の電子チラシを構成する全ての部分画像（又は、最後の部分画像）が端末装置に送信されたことを検出した場合、当該電子チラシが当該端末装置において閲覧されたと推定する。
具体的には、送受信部２０は、例えば、図２の電子チラシ識別情報「Ｄ０１」の電子チラシを構成する部分画像ＰＤ０１１〜部分画像ＰＤ０１５６の全てを端末識別情報「Ｔ０００１」の端末装置に送信した場合、電子チラシ識別情報「Ｄ０１」の電子チラシを構成する部分画像ＰＤ０１１〜部分画像ＰＤ０１５６の全てを端末識別情報「Ｔ０００１」の端末装置に送信した旨を閲覧推定部３０に通知する。当該通知を取得した閲覧推定部３０は、電子チラシ識別情報「Ｄ０１」の電子チラシが端末識別情報「Ｔ０００１」の端末装置において閲覧されたと推定する。
【００４１】
つまり、送受信部２０が、図４に示すように端末装置の表示画面に表示させるべき電子チラシ識別情報「Ｄ０１」の電子チラシを構成する全ての部分画像ＰＤ０１１〜部分画像ＰＤ０１５６を送信した時点で、閲覧推定部３０は、当該端末装置において電子チラシ識別情報「Ｄ０１」の電子チラシが閲覧されたと推定する。
【００４２】
なお、閲覧推定部３０は、端末装置の一画面分に表示される全ての部分画像が当該端末装置に送信されたことを検出した場合、即ち、送受信部２０によって送信される部分画像のうち端末装置の一画面分に表示するために必要な全ての部分画像が当該端末装置に送信された場合、当該部分画像によって構成される電子チラシが当該端末装置において閲覧されたと推定するようにしてもよい。
【００４３】
つまり、電子チラシを構成する全ての部分画像ではなく一部（一画面分）の部分画像を送信するような場合には、送受信部が、一画面分を全て送信した時点で、閲覧推定部３０は、当該端末装置において電子チラシが閲覧されたと推定するようにしてもよい。
【００４４】
また、閲覧推定部３０は、送受信部２０が端末装置から操作通知を受信した場合、送受信部２０が全ての部分画像（一画面分の部分画像を送信する場合には、その全ての部分画像）の送信が完了する前、即ち送信中であっても、電子チラシが当該端末装置において閲覧されたと推定するようにしてもよい。
【００４５】
例えば、図４に示す例において、部分画像ＰＤ０１１から順に部分画像を順次受信中の端末装置において、部分画像ＰＤ０１８が表示された時点で、既に表示されている部分画像ＰＤ０１１の拡大操作をユーザから受け付けた場合、端末装置は、サーバ１に操作通知を送信する。サーバ１の送受信部２０は、端末装置からの操作通知を受信したときに、未だ部分画像ＰＤ０１５６を送信していなくても（即ち、全ての部分画像を送信していなくても）、操作通知を受信した時点で、部分画像ＰＤ０１１〜ＰＤ０１５６から構成される電子チラシ識別情報「Ｄ０１」の電子チラシが当該端末装置において閲覧されたと推定するようにしてもよい。
【００４６】
以上のように、推定手法２では、電子チラシを構成する部分画像の全て、又は、一画面分の部分画像の全てを端末装置に送信したときに、電子チラシが閲覧されたと推定する。
【００４７】
以下、図６及び図７を用いてサーバ１の処理の流れを説明する。図６及び図７は、サーバ１の動作の一例を示すフローチャートである。具体的には、図６は電子チラシの閲覧有無の推定方法として推定手法１を用いる場合のサーバ１の動作、図７は電子チラシの閲覧有無の推定方法として推定手法２を用いる場合のサーバ１の動作を表している。なお、単純化のため、サーバ１は、１つの端末装置（端末装置Ｔ）に１つの電子チラシ（電子チラシＤ）を構成する部分画像を送信するものとする。
【００４８】
図６において、送受信部２０は、電子チラシＤを構成する一の部分画像を端末装置Ｔに送信する（ステップＳ１０）。送受信部２０は、端末装置Ｔから操作通知を受信したか否かを判断する（ステップＳ２０）。
【００４９】
送受信部２０は、端末装置Ｔから操作通知を受信しなかった場合（ステップＳ２０：Ｎｏ）、部分画像の送信を中断するか否かを判断する（ステップＳ３０）。例えば、送受信部２０は、通信障害が発生した場合、又は、部分画像の受信を中断する旨の指示を端末装置Ｔから受信した場合に、部分画像の送信を中断すると判断する。
【００５０】
送受信部２０は、部分画像の送信を中断しなかった場合（ステップＳ３０：Ｎｏ）、全ての部分画像を端末装置Ｔに送信したか否かを判断する（ステップＳ４０）。なお、端末装置Ｔの表示画面が小さい場合であって、端末装置Ｔに一画面分の部分画像と他の部分画像を一斉に送信するのではなく最初に一画面分の部分画像を送信するような場合には、送受信部２０は、最初に送信する一画面分の部分画像の全てを端末装置Ｔに送信したか否かを判断する。
【００５１】
送受信部２０が、全ての部分画像を送信していない場合（ステップＳ４０：Ｎｏ）、ステップＳ１０に戻る。即ち、送受信部２０は、電子チラシＤを構成する他の部分画像を端末装置Ｔに送信する（ステップＳ１０）。
【００５２】
ステップＳ４０において送受信部２０が全ての部分画像を端末装置Ｔに送信した場合（ステップＳ４０：Ｙｅｓ）、サーバ１の非図示の計時部は、全ての部分画像の送信後から所定の時間が経過したか否かを判断する（ステップＳ４２）。
【００５３】
所定の時間が経過していないと計時部（非図示）が判断した場合（ステップＳ４２：Ｎｏ）、送受信部２０は、端末装置Ｔから表示通知を受信したか否かを判断する（ステップＳ４４）。送受信部２０が、端末装置Ｔから表示通知を受信していない場合（ステップＳ４４：Ｎｏ）、ステップＳ４２に戻る。
【００５４】
ステップＳ２０において送受信部２０が端末装置Ｔから操作通知を受信した場合（ステップＳ２０：Ｙｅｓ）、又は、ステップＳ４４において送受信部２０が端末装置Ｔから表示通知を受信した場合（ステップＳ４４：Ｙｅｓ）、閲覧推定部３０は、端末装置Ｔにおいて電子チラシＤが閲覧されたと推定する（ステップＳ５０）。ステップＳ５０に続いて、実績カウント部４０は、端末装置Ｔ（又は、端末装置Ｔを使用するユーザ）における、電子チラシＤの閲覧実績をカウントする（ステップＳ６０）。具体的には、実績カウント部４０は、記憶部１０において、端末装置Ｔ（又は、端末装置Ｔを使用するユーザ）の電子チラシＤに対する閲覧有無情報を閲覧有（値１）に更新し、電子チラシＤの閲覧実績情報を１増加させる。そして、本フローチャートは終了する。
【００５５】
一方、ステップＳ３０において送受信部２０が部分画像の送信を中断した場合（ステップＳ３０：Ｙｅｓ）、又は、所定の時間が経過していないと計時部（非図示）が判断した場合（ステップＳ４２：Ｙｅｓ）、ステップＳ５０、ステップＳ６０を実行することなく、本フローチャートは終了する。即ち、送受信部２０が部分画像の送信を中断した場合（ステップＳ３０：Ｙｅｓ）、又は、送受信部２０が端末装置Ｔに全ての部分画像を送信してから所定時間内に端末装置Ｔから表示通知を受信しなかった場合（ステップＳ４２：Ｙｅｓ）、閲覧推定部３０は、端末装置Ｔにおいて電子チラシＤが閲覧されたと判断しない。なお、上記場合（ステップＳ３０：Ｙｅｓ、ステップＳ４２：Ｙｅｓ）、閲覧推定部３０は、端末装置Ｔにおいて電子チラシＤが閲覧されていないと積極的に（明示的に）推定してもよい。
【００５６】
図６において、送受信部２０は、電子チラシＤを構成する一の部分画像を端末装置Ｔに送信する（ステップＳ１１０）。送受信部２０は、端末装置Ｔから操作通知を受信したか否かを判断する（ステップＳ１２０）。
【００５７】
送受信部２０は、端末装置Ｔから操作通知を受信しなかった場合（ステップＳ１２０：Ｎｏ）、部分画像の送信を中断するか否かを判断する（ステップＳ１３０）。
【００５８】
送受信部２０は、部分画像の送信を中断しなかった場合（ＳステップＳ１３０：Ｎｏ）、全ての部分画像（一画面分の部分画像を送信する場合には、その全ての部分画像）を端末装置Ｔに送信したか否かを判断する（ステップＳ１４０）。
【００５９】
送受信部２０が、全ての部分画像を送信していない場合（ステップＳ１４０：Ｎｏ）、ステップＳ１１０に戻る。
【００６０】
ステップＳ１２０において送受信部２０が端末装置Ｔから操作通知を受信した場合（ステップＳ１２０：Ｙｅｓ）、又は、ステップＳ１４０において送受信部２０が全ての部分画像を端末装置Ｔに送信した場合（ステップＳ１４０：Ｙｅｓ）、閲覧推定部３０は、端末装置Ｔにおいて電子チラシＤが閲覧されたと推定する（ステップＳ１５０）。ステップＳ１５０に続いて、実績カウント部４０は、端末装置Ｔ（又は、端末装置Ｔを使用するユーザ）における、電子チラシＤの閲覧実績をカウントする（ステップＳ１６０）。そして、本フローチャートは終了する。
【００６１】
一方、ステップＳ１３０において送受信部２０が部分画像の送信を中断した場合（ステップＳ１３０：Ｙｅｓ）、ステップＳ１５０、ステップＳ１６０を実行することなく、本フローチャートは終了する。即ち、送受信部２０が部分画像の送信を中断した場合（ステップＳ１３０：Ｙｅｓ）、閲覧推定部３０は、端末装置Ｔにおいて電子チラシＤが閲覧されたと判断しない。なお、送受信部２０が部分画像の送信を中断した場合（ステップＳ１３０：Ｙｅｓ）、閲覧推定部３０は、送受信部２０から送信中断を示す通知を取得し、端末装置Ｔにおいて電子チラシＤが閲覧されていないと積極的に（明示的に）推定してもよい。
【００６２】
以上、サーバ１によれば、ユーザによる電子チラシの閲覧の有無を合理的に判断し、広告主が納得する課金管理を実現することができる。
【００６３】
なお、上記実施例は、サーバ１は、端末装置（又はユーザ）毎に、一の電子チラシを閲覧したか否かを把握する態様である。つまり、上記実施例におけるサーバ１は、同一の端末装置（又はユーザ）において同一の電子チラシが複数回閲覧された場合、２回目以降の閲覧について実績としてカウントしていない。従って、例えば、図３の例において、電子チラシ識別情報「Ｄ０２」の電子チラシが、再度、端末識別情報「Ｔ０２００」の端末装置（又は、ユーザ識別情報「Ｕ０３５０」のユーザ）において、閲覧された場合であっても、閲覧実績情報は「１２０１」に更新されずに「１２００」のまま維持され、当該端末装置（又は、ユーザ）の閲覧有無情報は「２」に更新されずに「１」のまま維持される。
【００６４】
上述の如く、上記実施例におけるサーバ１は、同一の端末装置（又はユーザ）における同一の電子チラシの２回目以降の閲覧を実績としてカウントしていないが、サーバ１は、前回、実績をカウントアップした時刻から所定時間（例えば、５分間）経過した場合、上述の２回目以降の閲覧を実績としてカウントするようにしてもよい。
【００６５】
以下、図８を用いて、２回目以降の閲覧を実績としてカウントする態様を説明する。図８は、サーバ１の記憶部１０に記憶される情報の一例である。
当該態様の場合、サーバ１は、例えば、図３に示す情報に代えて図８（ａ）（ｂ）に示す情報を記憶部１０に記憶する。
即ち、サーバ１は、図８（ａ）に示すように、電子チラシ識別情報に対応付けて、電子チラシの閲覧実績情報（閲覧数）、端末装置（又はユーザ）毎の閲覧回数情報を記憶部１０に記憶し、図８（ｂ）に示すように、電子チラシ識別情報及び端末識別情報（又は、ユーザ識別情報）の組に対応付けて、最終更新日時を記憶部１０に記憶する。
【００６６】
図８（ａ）の１行目（矢印Ａの行）は、電子チラシ識別情報「Ｄ０１」に対応付けて、延べ閲覧端末（者）数を示す閲覧実績情報「１３００」、各端末装置（各ユーザ）における閲覧回数情報（例えば、端末識別情報「Ｔ０００１」の端末装置（又は、ユーザ識別情報「Ｕ０００１」のユーザ）において、閲覧回数が０回であることを示す情報「０」、端末識別情報「Ｔ０２００」の端末装置（又は、ユーザ識別情報「Ｕ０３５０」のユーザ）において閲覧回数が３回であることを示す情報「３」）を記憶している。図８（ａ）の２行目（矢印Ｂの行）についても同様である。
【００６７】
また、図８（ｂ）の２行目（矢印Ｂの行）は、電子チラシ識別情報「Ｄ０１」及び端末識別情報「Ｔ０２００」（又は、ユーザ識別情報「Ｕ０３５０」）の組に対応付けて、当該組の閲覧回数を最後に更新した最終更新日時「２０１１年９月１２日午後３時１０分２５秒」を記憶している。即ち、図８（ａ）の１行目によれば、端末識別情報「Ｔ０２００」の端末装置（又は、ユーザ識別情報「Ｕ０３５０」のユーザ）において、電子チラシ識別情報「Ｄ０１」の電子チラシは３回閲覧されているが、図８（ｂ）の２行目によれば、３回目の閲覧日時（閲覧回数情報「２」から「３」に更新した日時）が、最終更新日時「２０１１年９月１２日午後３時１０分２５秒」である。
【００６８】
また、図８（ｂ）の矢印Ｃの行は、電子チラシ識別情報「Ｄ０２」及び端末識別情報「Ｔ０００１」（又は、ユーザ識別情報「Ｕ０００１」）の組に対応付けて、当該組の閲覧回数を最後に更新した最終更新日時「２０１１年９月１２日午前１１時０３分３０秒」を記憶している。即ち、図８（ａ）の２行目によれば、端末識別情報「Ｔ０００１」の端末装置（又は、ユーザ識別情報「Ｕ０００１」のユーザ）において、電子チラシ識別情報「Ｄ０２」の電子チラシは１回閲覧されているが、図８（ｂ）の矢印Ｃの行によれば、１回目の閲覧日時（閲覧回数情報「０」から「１」に更新した日時）が、最終更新日時「２０１１年９月１２日午前１１時０３分３０秒」である。
同様に、図８（ｂ）の矢印Ｄの行は、電子チラシ識別情報「Ｄ０２」及び端末識別情報「Ｔ０２００」（又は、ユーザ識別情報「Ｕ０３５０」）の組に対応付けて、当該組の閲覧回数を最後に更新した最終更新日時「２０１１年９月１２日午後３時１５分００秒」を記憶している。即ち、図８（ａ）の２行目によれば、端末識別情報「Ｔ０２００」の端末装置（又は、ユーザ識別情報「Ｕ０３５０」のユーザ）において、電子チラシ識別情報「Ｄ０２」の電子チラシは２回閲覧されているが、図８（ｂ）の矢印Ｄの行によれば、２回目の閲覧日時（閲覧回数情報「１」から「２」に更新した日時）が、最終更新日時「２０１１年９月１２日午後３時１５分００秒」である。
【００６９】
なお、図８（ｂ）の１行目（矢印Ａの行）は、最終更新日時を記憶していない。図８（ａ）の１行目によれば、端末識別情報「Ｔ０００１」の端末装置（又は、ユーザ識別情報「Ｕ０００１」のユーザ）において、電子チラシ識別情報「Ｄ０１」の電子チラシは未だ閲覧されていない、即ち、閲覧回数が０回から更新されていないからである。
【００７０】
（２回目以降の閲覧を実績としてカウントする態様の実績カウント部の処理）
実績カウント部４０は、電子チラシが端末装置において閲覧されたと閲覧推定部３０が推定手法１又は推定手法２を用いて推定した場合、当該端末装置当（又は、当該ユーザ）における当該電子チラシの閲覧が最初の閲覧であるか２回目以降の閲覧であるかを判断する。具体的には、実績カウント部４０は、図８（ａ）に示す閲覧回数情報を参照し、閲覧回数が０回である場合、最初の閲覧であると判断し、閲覧回数が１回以上である場合、２回目以上の閲覧であると判断する。なお、実績カウント部４０は、図８（ｂ）に示す最終更新日時を参照し、何も日時が記憶されていない場合、最初の閲覧であると判断し、何らかの日時が記憶されている場合、２回目以上の閲覧であると判断してもよい。
【００７１】
実績カウント部４０は、最初の閲覧の場合、記憶部１０の情報を更新する。具体的には、実績カウント部４０は、図８（ａ）に示す閲覧回数情報及び閲覧実績情報を１増加させるとともに、現在日時を図８（ｂ）に示す最終更新日時に書き込む。
【００７２】
実績カウント部４０は、２回目以降の閲覧の場合、図８（ｂ）に示す最終更新日時を参照し、最終更新日時から所定時間経過前であるか所定時間経過後であるかを判断する。実績カウント部４０は、所定時間経過前の場合、記憶部１０の情報を更新しない。一方、実績カウント部４０は、所定時間経過後の場合、記憶部１０の情報を更新する。具体的には、実績カウント部４０は、図８（ａ）に示す閲覧回数情報及び閲覧実績情報を１増加させるとともに、現在日時を図８（ｂ）に示す最終更新日時に書き込む（上書きする）。
【００７３】
また、サーバ１の機能を実現するためのプログラムをコンピュータ読み取り可能な記録媒体に記録して、この記録媒体に記録されたプログラムをコンピュータシステムに読み込ませ、実行することにより、上述の閲覧の有無の推定等を行ってもよい。なお、ここでいう「コンピュータシステム」とは、ＯＳや周辺機器等のハードウェアを含むものとする。
【００７４】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを配信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００７５】
以上、この発明の実施形態について図面を参照して詳述してきたが、具体的な構成はこの実施形態に限られるものではなく、この発明の要旨を逸脱しない範囲の設計等も含まれる。
【符号の説明】
【００７６】
１…サーバ  １０…記憶部  ２０…送受信部  ３０…閲覧推定部  ４０…実績カウント部
【図１】
0006020666.tif 000002
【図２】
0006020666.tif 000003
【図３】
0006020666.tif 000004
【図４】
0006020666.tif 000005
【図５】
0006020666.tif 000006
【図６】
0006020666.tif 000007
【図７】
0006020666.tif 000008
【図８】
0006020666.tif 000009